(57)【特許請求の範囲】
【請求項１】
昇降路内を昇降可能なエレベータのかごの上に設けられた作業床であって、床板と手摺とを有する作業床に取り付けられる補助作業床であり、
作業床の床板近傍に、一辺を軸として昇降方向へ回動可能に取り付けられる補助床板と、
上記補助床板の回動を拘束する拘束部であって、上記補助床板の上記一辺と対向する辺側に一端が昇降方向に回動可能に取り付けられる棒状の拘束部と
を備え、
上記補助床板は、上記拘束部の他端が上記作業床の手摺に固定された場合に略水平に保たれ、上記拘束部の上記他端が上記手摺から解放された場合に降方向へ回動して略垂直となり、
上記拘束部は、上記他端が上記手摺から解放された場合に回動して略垂直となる
ことを特徴とする補助作業床。
【請求項２】
上記補助作業床は、さらに、
上記手摺にフックして取り付けられるとともに、上記床板の縁あるいは上記床板付近に設けられた梁にフックして取り付けられる取付部材
を備えることを特徴とする請求項１記載の補助作業床。
【請求項３】
上記補助作業床はさらに、
上記作業床に取り付けられた場合に、上記作業床の手摺をエレベータのガイドレールに固定する固定部材
を備えることを特徴とする請求項１又は２に記載の補助作業床。
【発明の詳細な説明】
【技術分野】
【０００１】
本発明は、例えば、エレベータの昇降路内における機器の保守作業等に使用される作業床に関する。特に、本発明は、エレベータの作業床を拡張する補助の作業床に関する。
【背景技術】
【０００２】
エレベータの昇降路内での機器の据付において、効率よく機器を据え付けるため、乗りかご又は仮設機材を用いたゴンドラ型の作業床を本設巻上げ機や仮設駆動機によって上下（昇降）させ、作業床から据え付け作業を行う工法がある。この工法において、通常、作業床はガイドレールの内側に設置される。これは、（１）作業床の多くは本設のかご床を使うため、（２）安定性を保つため、（３）作業床が昇降路に取り付けられた機器と干渉しないようにするため等の理由によるものである。
しかし、昇降路が広い場合や機器のレイアウトによっては、作業床から遠く離れた位置に機器を据え付けしなくてはならない。この場合、作業員は作業床から身を乗り出して作業をすることになる。これは、安全性に課題がある。また、溶接作業等においては、品質に影響がある。
【０００３】
作業床から遠く離れた位置に機器を安全に、かつ品質よく作業するために、作業床を一時停止して昇降路の壁との間に足場を設置することがある。しかし、設置、解体に時間がかかり、また足場設置作業の安全性が確保されていない。
特許文献１では、保守用の作業足場としてかごに設置したスライド式の足場が提案されている。しかし、特許文献１のスライド式の足場は、手摺がなく安全性に課題がある。また、移動機構が複雑で導入費用が嵩み、設置時間もかかる。
特許文献２では、ガイドレールに取り付ける作業床が提案されている。しかし、特許文献２の作業床は、ガイドレール自体を取り付ける作業には使用できない。また、作業床をガイドレールに取り付ける時には、かごに設けられた作業床から乗り出して作業しなければならず、安全性が確保されていない。
特許文献３では、作業床の外側に設置した補助の作業床が提案されている。しかし、特許文献３の補助の作業床は、ガイドレール取付ブラケット等の昇降路に取り付ける機器が近くにある度に解体・設置を繰り返す必要があり、設置作業に時間がかかる。
特許文献４では、作業床の外側に上向きに折り畳む補助の作業床を設けることが提案されている。しかし、特許文献４の補助の作業床は、収納時に手摺よりも上方へ補助の作業床部分が突出する。そのため、補助の作業床を収納している時には、補助の作業床が作業の邪魔になる。また、補助の作業床を使用してかごに近い梁等の取り付け作業をした場合、補助の作業床を畳むには梁に干渉しないよう一度下降しないければならず、作業効率が悪い。
特許文献５では、作業床の一部が回転して外に張り出す作業床が提案されている。しかし、特許文献５の作業床は、張り出せるスペースに制限がある。また、回転部分が作業床の上に収納されるため作業床上に工具や部品を置くことができない。
【特許文献１】特開平８−１９８５４９号公報
【特許文献２】特開２０００−３４４４３８号公報
【特許文献３】実開昭５８−１３８７６０号公報
【特許文献４】特開平２−１８６０６３号公報
【特許文献５】特開平６−３２５５５号公報
【発明の開示】
【発明が解決しようとする課題】
【０００４】
本発明は、例えば、作業床に簡単に設置することができ、組立・収納が容易な補助作業床を得ることを目的とする。
【課題を解決するための手段】
【０００５】
本発明に係る補助作業床は、例えば、昇降路内を昇降可能なエレベータの作業床に取り付けられる補助作業床であり、
一辺を軸として昇降方向へ回動可能な補助床板と、
上記補助床板の回動を拘束する拘束部とを備え、
上記補助床板は、上記拘束部が回動を拘束する状態である場合に略水平に保たれ、上記拘束部が回動を拘束する状態を解放した場合に降方向へ回動して略垂直となる
ことを特徴とする。
【発明の効果】
【０００６】
本発明に係る補助作業床は、作業床に簡単に設置することができる。また、作業床が昇降している間は折り畳むことで昇降路に取り付ける機器との干渉を避けることができるとともに、使用時は一動作で足場を構成できる。
【発明を実施するための最良の形態】
【０００７】
実施の形態１．
図１は、作業床から遠く離れた位置に機器を、作業床から取り付けする状態を簡易的に示す図である。図２は、作業床から遠く離れた位置に機器を、補助作業床から取り付けする状態を簡易的に示す図である。図３は、作業床から遠く離れた位置に機器を、この実施の形態に係る補助作業床から取り付けする状態を簡易的に示す図である。
【０００８】
図１から図３まででは、エレベータのかご上壁３２に作業床が設けられている。
図１に示すように、作業床から遠く離れた位置に機器を、作業床から取り付けする場合、作業員は作業床の手摺の外へ大きく身を乗り出さなければならない。これは、危険が伴い、また作業が容易に行えないため作業の質も落ちる虞がある。
図２に示すように、作業床の外側に補助作業床を設け、機器を補助作業床から取り付けする場合、作業員は容易に作業を行うことができる。したがって、安全性を保つことができ、また作業の質も落ちることがない。しかし、図２に示す補助作業床は、エレベータの昇降路の壁に補強部材を設け、作業床と補強部材とに補助作業床を留める必要がある。そのため、図２に示す補助作業床は設置作業に手間と時間とがかかる。特に、機器の取り付け範囲が上下に広く、作業床を昇降させて作業を進める場合等の使用には、設置作業に手間と時間とがかかる図２に示す補助作業床は向かない。
図３に示す補助作業床を用いて機器の取り付けをした場合、図２に示す補助作業床を用いて機器の取り付けをした場合と同様に、作業員は容易に作業を行うことができる。また、図３に示す補助作業床には手摺が備え付けられており、安全性が高い。さらに、以下に説明するように、図３に示す補助作業床は設置が容易である。
【０００９】
図４は、この実施の形態に係る補助作業床が作業床に取り付けられた状態を示す斜視図である。
作業床は、床板１、床縁２、手摺縦桟３、手摺下桟４、手摺中桟５、手摺上桟６を備える。
床板１は、作業床の床部分であり、作業者が作業時に乗る床となる部分である。床板１は、例えば、エレベータのかご上壁３２に設けられる。あるいは、床板１は、エレベータのかご上壁３２である。
床縁２は、床板１の周囲に設けられ、床板１よりも１段高くなっている縁部分である。床縁２は、支持梁とも言う。
手摺縦桟３は、床縁２から縦方向（昇方向）へ設けられた手摺である。手摺縦桟３は、例えば、床板１が四角形である場合、床板１の四隅に設けられる。
手摺下桟４は、手摺縦桟３の床板１付近に設けられた手摺である。手摺下桟４は、例えば、床板１の四辺を囲うように設けられる。図１では、補助作業床が設けられる辺には手摺下桟４が設けられていないが、補助作業床が設けられる辺にも設けられていてもよい。
手摺中桟５は、手摺縦桟３の中ほどに設けられた手摺である。手摺中桟５は、床板１の四辺を囲うように設けられる。図１では、手摺中桟５は、補助作業床が設けられる辺の一部が切り取られた状態となっている。これは、作業床から補助作業床への移動のし易さを考慮したものである。
手摺上桟６は、手摺縦桟３の床板１とは逆側の端部付近に設けられた手摺である。手摺上桟６は、手摺下桟４と同様に床板１の四辺を囲うように設けられる。
ここでは、手摺縦桟３、手摺下桟４、手摺中桟５、手摺上桟６の全てが手摺であるとしたが、手摺上桟６だけを手摺と考え、その他を梁と考えてもよい。
【００１０】
補助作業床は、取付部材１１、補助床板１３、補助床縁１５、斜め梁１６、補助手摺縦桟２０、補助手摺中桟２１、補助手摺上桟２２を備える。
取付部材１１は、補助作業床を作業床に取り付けた際、作業床と接触し、補助作業床を支える柱状の部材である。取付部材１１は、２本の柱１１−１が、両端部又は片端部に設けられた梁１１−２で接続されている。図４においては、床板１に設けられた梁１１−２は、作業床の床縁２の影となり図示されていない。また、取付部材１１の床板１側（下部）には、Ｌ字状に曲げられた足１２が設けられている。補助作業床が作業床に取り付けられた場合に、足１２と取付部材１１の下部との間に作業床の床縁２又は手摺下桟４を挟みこむ（フックする）ように足１２が設けられる。また、補助作業床が作業床に取り付けられた場合に、作業床の手摺上桟６に掛かる（フックする）ように、取付部材１１の手摺上桟６側（上部）はＬ字状に折り曲げられている。
補助床板１３は、補助作業床の床部分であり、作業者が作業時に乗る床となる部分である。補助床板１３は、足１２の先端部に軸（床板取付軸１４）を介して昇降方向へ回動可能に取り付けられている。
補助床縁１５は、補助床板１３の周囲に設けられ、補助床板１３よりも１段高くなっている縁部分である。補助床縁１５は、補助支持梁とも言う。
斜め梁１６（拘束部）は、補助床板１３の回動を拘束する部材である。斜め梁１６は、２本の柱と、２本の柱を繋ぐ梁（斜め梁固定部１８）とを備える。斜め梁１６は、補助床板１３の床板取付軸１４側の辺と対向する辺側に軸（斜め梁取付軸１７）を介して昇降方向へ回動可能に一端が取り付けられる。斜め梁１６の他端側に設けられた斜め梁固定部１８を固定すると、補助床板１３の回動が拘束される。図１においては、斜め梁固定部１８は、取付部材１１のＬ字状に折り曲げられた留め金１９に引っ掛けて（フックして）固定される。留め金１９は、作業床の手摺上桟６に掛かるようにＬ字状に折り曲げられた取付部材１１の先端をさらにＬ字状に折り曲げて形成されている。
補助手摺縦桟２０は、補助床板１３の斜め梁１６が取り付けられた辺側に取り付けられた手摺である。補助手摺縦桟２０は、例えば、補助床板１３の斜め梁１６が取り付けられた辺の両端に軸を介して昇降方向へ回動可能に一端が取り付けられる。図１では、斜め梁１６が取り付けられた斜め梁取付軸１７に、補助手摺縦桟２０も取り付けられている。
補助手摺中桟２１は、補助手摺縦桟２０の中ほどに設けられた手摺である。補助手摺中桟２１は、補助手摺縦桟２０の２本の柱に各端部が固定された桟２１−１と、一端を補助手摺縦桟２０の２本の柱に昇降方向に回動可能に取り付けられるとともに、他端を取付部材１１に昇降方向に回動可能に取り付けられた桟２１−２とを備える。
補助手摺上桟２２は、補助手摺縦桟２０の補助床板１３とは反対の端部に設けられた手摺である。補助手摺上桟２２は、補助手摺縦桟２０の２本の柱に各端部が固定された桟２２−１と、一端を補助手摺縦桟２０の２本の柱に昇降方向に回動可能に取り付けられるとともに、他端を取付部材１１に昇降方向に回動可能に取り付けられた桟２２−２とを備える。
【００１１】
図５は、この実施の形態に係る補助作業床を作業床に取り付ける経過を示す図である。図５（ａ）は、補助作業床が設置される前の作業床を示す。図５（ｂ）は、作業床に補助作業床を置いた状態を示す。図５（ｃ）は、補助作業床を作業床に取り付けた状態を示す。図５（ｄ）は、図５（ｃ）の補助作業床の正面（Ｃ方向）から見た状態を示す。図５（ａ）から（ｃ）までは、図４のＡ−Ａ方向から見た図である。
図５（ａ）に示すように、作業床は、エレベータのかご上壁３２に設けられる。床板１がかご上壁３２に平行に設けられる。
図５（ｂ）に示すように、作業床の床板１に補助作業床の取付部材１１を水平に寝かした状態で置く。この際、補助床板１３、斜め梁１６、補助手摺中桟２１、補助手摺上桟２２等は、取付部材１１と平行になるように畳んだ状態としておく。ここで、補助作業床の取付部材１１の足１２側の端部が、取り付けする作業床の床縁２付近になるように置く。そして、取付部材１１の足１２側の端部を軸として、補助作業床を取付部材１１の留め金１９が作業床の手摺上桟６に引っ掛けるように回転させる。つまり、図５（ｂ）のＢ方向へ補助作業床を回転させる。補助作業床を回転させる際、補助手摺中桟２１（２１−２）や補助手摺上桟２２（２２−２）が手摺中桟５に当たらないように、補助手摺中桟２１（２１−２）と補助手摺上桟２２（２２−２）とは、取付部材１１に固定せず、解放した状態としておく。取付部材１１の足１２側の端部を軸として補助作業床を回転させながら、補助手摺中桟２１（２１−２）と補助手摺上桟２２（２２−２）とを補助手摺縦桟２０側を軸として回動させて手摺中桟５を潜らせ、補助作業床の取付部材１１以外の部材を作業床の手摺の外側に出す。
そして、図５（ｃ）（ｄ）に示すように、留め金１９を作業床の手摺上桟６に引っ掛けるとともに、足１２と取付部材１１との間に作業床の床縁２を挟みこむ。その結果、補助作業床は、作業床の手摺上桟６と床縁２とに固定される。つまり、補助作業床が、作業床に固定される。さらに、留め金１９を手摺上桟６にネジ、クリップ等で固定し、取付部材１１の端部又は足１２を床縁２にネジ、クリップ等で固定するとしてもよい。そして、解放していた補助手摺中桟２１（２１−２）と補助手摺上桟２２（２２−２）との一端を取付部材１１に回動可能に取り付ける。
【００１２】
上述したように、補助作業床の取り付けは、（１）補助作業床を作業床の上に寝かせて置き、（２）補助作業床の留め金１９を作業床の手摺上桟６に引っ掛けるように回転させて、各部を取り付けるだけである。つまり、補助作業床の取り付けは容易である。
特に、補助作業床の取付部材１１の端部から留め金１９までの長さと、作業床の床板１から手摺上桟６までの長さとが略同一であり、さらに、補助作業床の取付部材１１と足１２との間の幅と、作業床の床縁２の高さとが略同一であれば、補助作業床を持ち上げる必要もなく、少ない力で取り付けすることができる。
なお、上記のように、補助作業床を回転させて取り付けず、補助作業床を持ち上げて、作業床の手摺上桟６と床縁２とに、補助作業床の留め金１９と足１２とがそれぞれ引っ掛かるように取り付けてもよい。
【００１３】
図６は、補助作業床が折り畳まれた状態（収納状態）から使用状態（組立済状態）へ変形する経過を示す図である。図６（ａ）は、補助作業床が折り畳まれた状態を示す。図６（ｂ）は、補助作業床が折り畳まれた状態から使用状態へ変形する途中状態を示す。図６（ｃ）は、補助作業床の使用状態を示す。
図６（ａ）は、図５（ｃ）と同じ状態である。つまり、補助作業床が作業床に固定された状態である。この状態から斜め梁１６を昇方向へ持ち上げて、斜め梁固定部１８を留め金１９へ固定する。
図６（ｂ）に示すように、斜め梁１６を持ち上げると、補助床板１３、補助手摺中桟２１（２１−２）、補助手摺上桟２２（２２−２）が回動して持ち上がる。  そして、図６（ｃ）に示すように、斜め梁１６の斜め梁固定部１８を、留め金１９に引っ掛けて固定する。斜め梁固定部１８を留め金１９に固定すると、補助床板１３の床面が略水平になり、固定される。また、補助手摺中桟２１、補助手摺上桟２２も同様に固定される。
【００１４】
つまり、斜め梁固定部１８が留め金１９に固定された場合、補助床板１３の床面が略水平となり、作業員が作業を行い易い環境となる。すなわち、斜め梁固定部１８が留め金１９に固定されることにより、補助床板１３の回動が拘束され、補助床板１３の床面が略水平に固定される。一方、再び斜め梁固定部１８が留め金１９から解放された場合、補助床板１３は、重力により床板取付軸１４を介して降方向へ回動し、床面が略垂直となって、折り畳まれた状態となる。補助手摺中桟２１、補助手摺上桟２２も同様に折り畳まれた状態となる。折り畳まれた状態で、斜め梁固定部１８を取付部材１１等に固定してもよい。斜め梁固定部１８を取付部材１１に固定することで、作業床を昇降させた際、折り畳まれた補助床板１３等が広がってしまうことを防止できる。
【００１５】
図７は、作業床の手摺上桟６をガイドレール３１に固定するガイドを示す図である。図７（ａ）は、補助作業床が取り付けられた作業床がガイドレールに固定された状態を示す。図７（ｂ）は、図７（ａ）のＤ−Ｄ矢視図である。図７（ｃ）は、図７（ｂ）のＥ−Ｅ矢視図である。図７（ｄ）は、図７（ｃ）のＦ−Ｆ断面図である。
図７（ａ）に示すように、作業床の手摺上桟６は、少なくとも１箇所でガイド２３を介してガイドレール３１に固定される。手摺上桟６が長く、手摺上桟６の剛性が弱い場合でも、手摺上桟６をガイドレール３１に固定することで、剛性を増すことができる。
図７（ｂ）（ｃ）に示すように、ガイド２３は、ガイドレール３１を挟み込むシュー部材２４を備える。ガイド２３は、シュー部材２４でガイドレール３１に固定されるとともに、取付金２５（ネジ、クリップ）で手摺上桟６に固定される。その結果、手摺上桟６はガイドレール３１に固定される。
図７（ｄ）に示すように、ガイド２３は、コの字型であり、手摺上桟６に上から被せるように取り付けられ、取付金２５で固定される。つまり、ガイド２３は、手摺上桟６に被さるとともに、シュー部材２４の間にガイドレール３１を挟みこみ取り付ける。
【００１６】
以上のように、この実施の形態に係る補助作業床は、走行時は間に障害物があっても干渉しないように折り畳み収納でき、軽量で設置・収納も容易で作業効率を向上させることができる。したがって、この実施の形態に係る補助作業床は、上下に広い範囲に、作業床から遠く離れた位置に機器を取り付ける場合等に特に有効である。
【００１７】
なお、上記説明において、補助床板１３は、取付部材１１に固定されるとしたが、これに限らず、手摺上桟６や手摺中桟５や手摺縦桟３等に固定されるとしてもよい。
また、斜め梁１６の斜め梁固定部１８は、取付部材１１の留め金１９に固定されるとしたが、手摺上桟６や手摺中桟５や手摺縦桟３等に固定されるとしてもよい。
【００１８】
以上をまとめると、この実施の形態に係る補助作業床は、エレベータのかご枠や床に取付けた仮設機材で構成され、本設巻上機または仮設駆動機によって上下に移動するゴンドラ型作業床において手摺または支持梁に取付けられた柱に水平方向の軸を介して連結された横梁と、横梁に軸によって連結され且つ柱の上部に引っ掛けた斜め梁と、横梁に軸によって連結支持された床板と手摺から構成され、且つ手摺より下側に折畳んで収納することを特徴とするエレベータの張り出し作業床である。
【００１９】
また、上記補助作業床を使用する場合において、使用時の安全性を増すために作業床の手摺に容易に取り付けられ、エレベータのガイドレールとの間に設置するガイドを備えたエレベータの張り出し作業床である。
【図面の簡単な説明】
【００２０】
【図１】作業床から遠く離れた位置に機器を、作業床から取り付けする状態を示す図。
【図２】作業床から遠く離れた位置に機器を、補助作業床から取り付けする状態を示す図。
【図３】作業床から遠く離れた位置に機器を、この実施の形態に係る補助作業床から取り付けする状態を示す図。
【図４】実施の形態１に係る補助作業床が作業床に取り付けられた状態を示す斜視図。
【図５】実施の形態１に係る補助作業床を作業床に取り付ける経過を示す図。
【図６】補助作業床を折り畳んだ状態から使用状態へ変形する経過を示す図。
【図７】作業床の手摺上桟６をガイドレール３１に固定した状態を示す図。
【符号の説明】
【００２１】
１  床板、２  床縁、３  手摺縦桟、４  手摺下桟、５  手摺中桟、６  手摺上桟、１１  取付部材、１２  足、１３  補助床板、１４  床板取付軸、１５  補助床縁、１６  斜め梁、１７  斜め梁取付軸、１８  斜め梁固定部、１９  留め金、２０  補助手摺縦桟、２１  補助手摺中桟、２２  補助手摺上桟、２３  ガイド、２４  シュー部材、２５  取付金、３１  ガイドレール、３２  かご上壁、３３  かご側壁、３４  取付ブランケット。
【図１】
0005174405.tif 000002
【図２】
0005174405.tif 000003
【図３】
0005174405.tif 000004
【図４】
0005174405.tif 000005
【図５】
0005174405.tif 000006
【図６】
0005174405.tif 000007
【図７】
0005174405.tif 000008